(57)【特許請求の範囲】
【請求項１】
エレベータの乗りかごに設置された階床表示部にエレベータの乗りかごが停止可能な階床の階床ボタンを表示するエレベータの乗りかご表示制御方法であって、前記乗りかごが停止可能な階床に対応する階床ボタンのうち、前記乗りかごの移動方向とは異なる方向に存在する階床に対応する階床ボタンを含まず、前記乗りかごの移動方向に存在する階床に対応する階床ボタンを含む画像を前記階床表示部に表示する工程と、前記乗りかごが前記階床に停止した場合、前記乗りかごの移動方向に存在する階床に対応する階床ボタンのうち、前記エレベータの利用者によって選択された階床ボタンと、選択されていない階床ボタンとを、異なる表示形態で前記階床表示部に表示する工程と、を有し、前記選択された階床ボタンの表示形態と、前記選択されていない階床ボタンの表示形態とを、前記乗りかごの停止中と動作中とで切り替え、前記乗りかごが前記階床に停止した場合、前記乗りかごの移動方向に存在する階床に対応する階床ボタンのうち、前記エレベータの利用者によって選択された階床ボタンを、選択されていない階床ボタンよりも小さく前記階床表示部に表示することを特徴とするエレベータの乗りかご表示制御方法。
【請求項２】
前記乗りかごが移動中の場合、前記選択された階床ボタンを、前記選択されていない階床ボタンよりも大きく前記階床表示部に表示する工程をさらに有することを特徴とする請求項１に記載のエレベータの乗りかご表示制御方法。
【請求項３】
エレベータの乗りかご内に設けられ、該乗りかごが停止可能な階床に対応する階床ボタンを表示可能な階床表示部を有する操作部と、前記乗りかごを所望の階床に移動させ停止させる昇降動作の制御を行うと共に、前記階床表示部の表示制御を行う制御部と、を備え、前記制御部は、前記乗りかごが停止可能な階床に対応する階床ボタンのうち、前記乗りかごの移動方向とは異なる方向に存在する階床に対応する階床ボタンを含まず、前記乗りかごの移動方向に存在する階床に対応する階床ボタンを含む画像を前記階床表示部に表示させ、前記制御部は、前記乗りかごの移動方向に存在する階床に対応する階床ボタンのうち、前記エレベータの利用者によって選択された階床ボタンと、選択されていない階床ボタンとを、異なる表示形態で前記階床表示部に表示させ、前記制御部は、前記乗りかごが前記階床に停止した場合、前記選択された階床ボタンを、前記選択されていない階床ボタンよりも小さく表示させ、前記乗りかごが移動中の場合、前記選択された階床ボタンを、前記選択されていない階床ボタンよりも大きく表示させることを特徴とするエレベータの乗りかご表示制御装置。
【請求項４】
前記制御部は、前記乗りかごに設けられたカメラから受信した映像情報から、前記乗りかご内の前記利用者の体格を判別し、前記階床表示部の前記階床ボタンを当該利用者の体格に応じた位置に前記画像を表示させることを特徴とする請求項３に記載のエレベータの乗りかご表示制御装置。
【請求項５】
前記制御部は、前記乗りかごが移動中の場合、前記乗りかごの移動方向に存在する階床に対応する階床ボタンのうち、次の着床予定階の階床ボタン以外の階床に対応する階床ボタンを含まず、当該着床予定階に関連する情報を含む画像を前記階床表示部に表示させることを特徴とする請求項３又は４に記載のエレベータの乗りかご表示制御装置。
【発明の詳細な説明】
【技術分野】
【０００１】
本発明の実施形態は、エレベータの乗りかご表示制御方法およびエレベータの乗りかご表示制御装置に関する。
【背景技術】
【０００２】
エレベータを利用する際、利用者は、乗りかごに乗り込んだ後、乗りかごの移動方向を確認すると共に、かご操作盤に設けられた複数の階床ボタンの中から自身の利用階に対応する階床ボタンを探して操作する。
【先行技術文献】
【特許文献】
【０００３】
【特許文献１】特開２００３−３３５４６６号公報
【発明の概要】
【発明が解決しようとする課題】
【０００４】
一般に、乗りかごが着床可能な階床が多くなるほど、利用者が選択可能な階床ボタンも増加するため、かご操作盤の視認性・操作性が悪化し、エレベータを利用する際の操作効率が低下する。
【０００５】
本発明は、上記に鑑みてなされたものであって、エレベータの利用者にとって視認性・操作性の向上を図ることができるエレベータの乗りかご表示制御方法およびエレベータの乗りかご表示制御装置を提供することを目的とする。
【課題を解決するための手段】
【０００６】
実施形態は、エレベータの乗りかごに設置された階床表示部にエレベータの乗りかごが停止可能な階床の階床ボタンを表示するエレベータの乗りかご表示制御方法であって、前記乗りかごが停止可能な階床に対応する階床ボタンのうち、前記乗りかごの移動方向とは異なる方向に存在する階床に対応する階床ボタンを含まず、前記乗りかごの移動方向に存在する階床に対応する階床ボタンを含む画像を前記階床表示部に表示する工程と、前記乗りかごが前記階床に停止した場合、前記乗りかごの移動方向に存在する階床に対応する階床ボタンのうち、前記エレベータの利用者によって選択された階床ボタンを、選択されていない階床ボタンよりも小さく前記階床表示部に表示する工程と、を有する。
【図面の簡単な説明】
【０００７】
【図１】図１は、第１実施形態に係るエレベータの乗りかご表示制御装置の制御系統のブロック図である。
【図２】図２は、第１実施形態に係るエレベータの表示制御装置におけるかご操作盤の一例を示す図である。
【図３Ａ】図３Ａは、第１実施形態に係る階床表示部における各階床ボタンの表示例を示す図である。
【図３Ｂ】図３Ｂは、第１実施形態に係る階床表示部における各階床ボタンの表示例を示す図である。
【図３Ｃ】図３Ｃは、第１実施形態に係る階床表示部における各階床ボタンの表示例を示す図である。
【図４】図４は、第１実施形態に係るエレベータの乗りかご表示制御の一例を示すフローチャートである。
【図５】図５は、第４実施形態に係るエレベータの乗りかご表示制御装置の制御系統のブロック図である。
【図６】図６は、第４実施形態に係る階床表示部における各階床ボタンの表示例を示す図である。
【図７】図７は、第５実施形態に係るエレベータの乗りかご表示制御装置の制御系統のブロック図である。
【図８Ａ】図８Ａは、第５実施形態に係る階床表示部における各階床ボタンの表示例を示す図である。
【図８Ｂ】図８Ｂは、第５実施形態に係る階床表示部における各階床ボタンの表示例を示す図である。
【図９】図９は、第６実施形態に係る階床表示部における表示例を示す図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
［第１実施形態］
図１は、第１実施形態に係るエレベータの乗りかご表示制御装置の制御系統のブロック図である。
【００１０】
図１に示すように、第１実施形態に係るエレベータの表示制御装置１００は、乗りかご内の所定位置（例えば側板）に設けられるかご操作盤１（操作部）と、制御部６と、を有する。かご操作盤１は、階床表示部２、開閉ボタン３、非常用ボタン４、およびインターフォン５と、を有する。  かご操作盤１に設けられた階床表示部２、開閉ボタン３、非常用ボタン４、およびインターフォン５と制御部６とは、それぞれ双方向に信号を送受信できるように接続される。また、制御部６は、各階のエレベータホールに設置された呼び登録ボタン７、乗りかごを昇降動作させる駆動力を発生させるモータ８（駆動部）、および、遠隔監視やインターフォン５を用いた通話を行う監視センタ９と、それぞれ双方向に信号を送受信できるように接続される。
【００１１】
本実施形態のエレベータの表示制御装置１００は、乗りかごが着床する階床として地下１階、１階、２階、〜、９階、１０階、屋上とがある建物に設置されているエレベータの乗りかごに設置された表示を制御する場合として説明する。なお、エレベータを設置する建物の階床の構成は、一例であり本実施形態に限定されない。
【００１２】
図２は、第１実施形態に係るエレベータの表示制御装置におけるかご操作盤の一例を示す図である。階床表示部２は、画像を表示しつつ、操作を検出できるデバイスである。階床表示部２としては、例えばタッチパネルを用いることができる。階床表示部２は、かご操作盤１が設置されたエレベータの乗りかごにおいて利用可能な階床に対応して、利用者が利用階数を操作するための複数の階床ボタン２ａ〜２ｌを表示することができる。階床表示部２に表示された階床ボタン２ａ〜２ｌは、疑似的に制御部６に接続されている。図２に示す階床表示部２は、地下１階、１階、２階、〜、９階、１０階、屋上の階床に対応した階床ボタン２ａ〜２ｌを表示させる。階床ボタン２ａは、地下１階に対応する「Ｂ１Ｆ」を含む画像である。階床ボタン２ｂは、１階に対応する「１」を含む画像である。階床ボタン２ｃは、２階に対応する「２」を含む画像である。階床ボタン２ｄは、３階に対応する「３」を含む画像である。階床ボタン２ｅは、４階に対応する「４」を含む画像である。階床ボタン２ｆは、５階に対応する「５」を含む画像である。階床ボタン２ｇは、６階に対応する「６」を含む画像である。階床ボタン２ｈは、７階に対応する「７」を含む画像である。階床ボタン２ｊは、８階に対応する「８」を含む画像である。階床ボタン２ｊは、９階に対応する「９」を含む画像である。階床ボタン２ｋは、１０階に対応する「１０」を含む画像である。階床ボタン２ｌは、屋上に対応する「Ｒ」を含む画像である。ここで、本実施形態の階床表示部２は、制御部６によって、各階床ボタン２ａ〜２ｌの表示と非表示が切り換えられ、また、表示する位置、大きさ、色等が調整される。つまり、制御部６は、各種状態に基づいて、階床表示部２に表示させる画像を作成し、表示させる画像を切り換える。制御部６よる階床表示部２に表示させる画像の制御については、後述する。
【００１３】
開閉ボタン３は、開ボタン３ａと閉ボタン３ｂとを有する。開閉ボタン３は、乗りかごに乗っている利用者が、乗りかごの扉の開閉の操作が入力されるボタンである。非常用ボタン４は、乗りかごに乗っている利用者が、非常事態が生じたことを通知するための操作を入力するボタンである。本実施形態の開閉ボタン３と非常用ボタン４は、階床表示部２とは別のボタンとしたが、これに限定されない。開閉ボタン３と非常用ボタン４は、階床表示部２と一体化した表示部としてもよい。インターフォン５は、乗りかごに乗っている利用者が外部と通話をするためのデバイスである。
【００１４】
制御部６は、かご内、昇降路内、もしくはエレベータホールに設けられ、かご操作盤１に設けられた各構成要素と、双方向に信号を送受信できるように接続される。制御部６は、階床表示部２に表示される各階床ボタン２ａ〜２ｌ、開閉ボタン３（開ボタン３ａ、閉ボタン３ｂ）、非常用ボタン４、および、呼び登録ボタン７で検出した信号が送られている。また、制御部６は、階床表示部２に表示させる画像や、開閉ボタン３（開ボタン３ａ、閉ボタン３ｂ）、非常用ボタン４、および、呼び登録ボタン７の点灯、消灯を制御する信号をそれぞれに送る。
【００１５】
制御部６は、各階床ボタン２ａ〜２ｌ、開閉ボタン３（開ボタン３ａ、閉ボタン３ｂ）、非常用ボタン４、および、呼び登録ボタン７に基づいて、乗りかごの移動、つまり上昇、下降、停止を決定する。制御部６は、乗りかごの動作に対応する動作パターンの信号をモータ８に送り、モータ８の動作を制御する。制御部６は、モータ８が駆動されることで出力される信号を受信する。なお、制御部６は、他のセンサとの間で信号の送受信を行い、乗りかごの位置を検出するようにしてもよい。
【００１６】
制御部６は、監視センタ９に、各部から送られた信号や、乗りかごの動作の情報を監視センタ９に送る。制御部６は、監視センタ９から送られた該各種信号に応じた動作指示の制御信号を受信する。ここで、各種信号とは、例えば、乗りかごの位置や昇降方向、移動先、呼び登録の有無、乗りかご内の利用者数、照明装置の動作状況、空調装置の動作状況などである。制御部６は、非常用ボタン４が操作されたことを検出した場合、インターフォン５と監視センタ９とを接続し、監視センタ９の保守員と乗りかご内の利用者とが通話できる状態とする。
【００１７】
次に、図３Ａから図３Ｃを参照して、制御部６における階床表示部２に表示させる画像の制御、具体的には、各階床ボタン２ａ〜２ｌの表示・非表示の切り替え制御及び各階床ボタン２ａ〜２ｌの表示状態の制御について説明する。図３Ａから図３Ｃは、それぞれ第１実施形態に係る階床表示部における各階床ボタンの表示例を示す図である。
【００１８】
本実施形態の制御部６は、乗りかごの移動方向において、乗りかごの移動方向が変化（例えば、下階から上階への移動方向から、上階から下階への移動方向に変化）するまでの間に着床可能な階床に対応する階床ボタンを階床表示部２に表示させる。制御部６は、乗りかごが５階より下階の階床から移動し、５階に着床して停止している状態では、図３Ａに示す画像を階床表示部２に表示させる。図３Ａ示す階床表示部２は、６階、７階、８階、９階、１０階、屋上に対応した各階床ボタン２ｇ，２ｈ，２ｉ，２ｊ，２ｋ，２ｌが表示されている。また、図３Ａに示す階床表示部２は、５階を含む下階、つまり、地下１階、１階、２階、３階、４階、５階に対応した「Ｂ１Ｆ」、「１」、「２」、「３」、「４」、「５」の各階床ボタン２ａ，２ｂ，２ｃ，２ｄ，２ｅ，２ｆが表示されていない。
【００１９】
図３Ａに示す階床表示部２は、乗りかごの移動方向とは異なる方向に存在する階床に対応する階床ボタンを含まず、乗りかごの移動方向に存在する階床に対応する階床ボタンを含む画像が表示される、つまり乗りかごの移動方向の階床ボタンが表示され、乗りかごの移動方向とは異なる方向の階床ボタンが表示されないため、利用者に乗りかごの移動方向を示唆することができる。
【００２０】
このようにエレベータの表示制御装置１００は、図３Ａに示す階床表示部２ように画像を表示させることで、利用者が自身の利用階に向かう方向とは異なる方向に移動する乗りかごに乗り込んでしまった場合でも、自身の利用階に向かう乗りかごではないことを認識し易くなる。また、階床表示部２に表示される階床ボタンの数を減らすことができるので、利用者が自身の利用階に対応する階床ボタンを見つけ易くなる。
【００２１】
また、エレベータの表示制御装置１００は、乗りかごの移動方向の階床ボタンのうち、乗りかごの呼び登録が行われ選択された階床の階床ボタン、および、乗りかご内のかご操作盤１が操作され選択された階床の階床ボタンと、呼び登録あるいはかご操作盤１で選択されていない階床の階床ボタンとで異なる表示形態とすることが好ましい。
【００２２】
エレベータの表示制御装置１００は、乗りかごの移動方向の階床ボタンのうち、乗りかごの呼び登録が行われ選択された階床の階床ボタン、および、乗りかご内のかご操作盤１が操作され選択された階床の階床ボタンと、呼び登録あるいはかご操作盤１で選択されていない階床の階床ボタンとで異なる表示形態とすることで、乗りかごの停止中、移動中における利便性を高めることができる。
【００２３】
エレベータの表示制御装置１００は、乗りかごが前記階床に停止した場合、選択された階床ボタンを第１表示形態で表示させ、選択されていない階床ボタンを第２表示形態で表示させることが好ましい。また、エレベータの表示制御装置１００は、乗りかごが移動中の場合、選択された階床ボタンを第２表示形態で表示させ、選択されていない階床ボタンを第１表示形態で表示させることが好ましい。
【００２４】
ここで、エレベータの表示制御装置１００は、第１表示形態で表示された階床ボタンを、第２表示形態で表示された階床ボタンよりも表示面積を小さくすることが好ましい。例えば、乗りかごが停止している場合、制御部６は、階床表示部２に表示させる各階床ボタンのうち、乗りかごの呼び登録が行われ選択された階床の階床ボタン、および、乗りかご内のかご操作盤１が操作され選択された階床の階床ボタンを、選択されていない階床の階床ボタンよりも小さく表示し、選択されていない階床の階床ボタンを、選択された階床の階床ボタンよりも大きく表示する。乗りかごの呼び登録とは、利用者により各階のエレベータホールに設置された呼び登録ボタン７が操作されたことを検出することで、設定される指示である。呼び登録され場合、その操作を検出した呼び登録ボタン７が設置された階床は、乗りかごを停止させる階床に設定される。
【００２５】
具体的には、制御部６は、５階に乗りかごが着床して停止している状態で、６階、７階、８階、９階、１０階が選択され、屋上が選択されていない場合、図３Ｂに示す画像を階床表示部２に表示させる。図３Ｂに示す階床表示部２は、階床ボタン２ｇ，２ｈ，２ｉ，２ｊ，２ｋが、階床ボタン２ｌよりも小さく表示される。
【００２６】
このように、エレベータの表示制御装置１００は、第１表示形態で表示された階床ボタンを、第２表示形態で表示された階床ボタンよりも表示面積を小さくして階床表示部２に表示することで、乗りかごが停止している状態では、選択されていない階床ボタンが選択された階床ボタンよりも大きく表示することができる。これにより、乗りかごが停止した階床で乗り込んだ利用者は、自身の利用階が選択されているか否かを認識し易くなる。
【００２７】
エレベータの表示制御装置１００は、乗りかごが停止している状態から、乗りかごが扉閉して移動を開始すると、選択された階床の階床ボタンの表示形態と、選択されていない階床の階床ボタンの表示形態と、を切り替える。エレベータの表示制御装置１００は、乗りかごが移動中の場合、選択された階床ボタンを第２表示形態で表示させ、選択されていない階床ボタンを第１表示形態で表示させる。
【００２８】
上述したように、第１表示形態で表示された階床ボタンを、第２表示形態で表示された階床ボタンよりも表示面積を小さくする場合、制御部６は、階床表示部２に表示させる各階床ボタンのうち、乗りかごの呼び登録が行われ選択された階床の階床ボタン、および、乗りかご内のかご操作盤１が操作され選択された階床の階床ボタンを大きく表示し、選択されていない階床の階床ボタンを選択された階床の階床ボタンよりも小さく表示する。
【００２９】
具体的には、制御部６は、６階、７階、８階、９階、１０階が選択されており、屋上が選択されておらず、５階に乗りかごが着床して停止している状態から乗りかごが扉閉して上階への移動を開始した時点で、図３Ｃに示す画像を階床表示部２に表示させる。つまり、階床表示部２、図３Ｂに示す画像が表示されている状態から図３Ｃに示す画像が表示されている状態に切り替わる。図３Ｃに示す階床表示部２は、階床ボタン２ｇ，２ｈ，２ｉ，２ｊ，２ｋが第２表示形態で表示され、階床ボタン２ｌが第１表示形態で表示される。
【００３０】
このように、エレベータの表示制御装置１００は、第１表示形態で表示された階床ボタンを、第２表示形態で表示された階床ボタンよりも表示面積を小さくして階床表示部２に表示することで、乗りかごが移動している状態では、選択された階床ボタンが選択されていない階床ボタンよりも大きく表示することができる。これにより、乗りかご内の利用者は、自身の利用階で乗りかごを降りるまでの間に自身が乗っている乗りかごが停止する階床を認識し易くなる。
【００３１】
次に、図４を参照して、第１実施形態に係るエレベータの乗りかご表示制御方法について説明する。図４は、第１実施形態に係るエレベータの乗りかご表示制御の一例を示すフローチャートである。なお、ここでは、図３における説明と同様に、乗りかごが着床する階床を地下１階、１階、２階、〜、９階、１０階、屋上とし、利用者が５階のエレベータホールに設置された呼び登録ボタン７を操作して乗りかごの呼び登録を行い、５階から利用階である屋上へ移動するものとする。なお、エレベータの移動方向また利用者の乗車階、下車階は、これに限定されない。エレベータの表示制御装置１００及び制御部６は、エレベータの移動方向また利用者の乗車階、下車階に合わせて、図４の階床を変更すればよい。また、制御部６は、複数の利用者によって、呼び登録、行き先階登録が行われた場合は、検出した操作に基づいて、乗りかごの移動を制御しつつ、入力された呼び登録、行き先階登録に基づいて、階床表示部２に表示させる画像を制御する。
【００３２】
制御部６は、利用者によって５階の呼び登録ボタン７入力された操作を検出し、５階への乗りかごの呼び登録を行う（ステップＳ１）。図４に示す例では、上の階に移動する呼び登録を検出する。制御部６は、呼び登録に基づいて、乗りかごを５階に移動させる。
【００３３】
制御部６は、乗りかごが５階に着床したら、扉を開き（ステップＳ２）、着床した階床よりも上階の階床のうち、既にかご操作盤１あるいは呼び登録ボタン７により選択された階床があるか否かを判定する（ステップＳ３）。
【００３４】
制御部６は、すでに選択された階床がある（ステップＳ３；Ｙｅｓ）、つまり乗りかごが着床した階床（ここでは、５階）よりも上階の階床（ここでは、６階〜１０階、屋上）のうち、選択された階床がると判定した場合、乗りかごが着床した階床（ここでは、５階）を含み、乗りかごが着床した階床よりも下階の階床に対応する階床ボタンを含まず、乗りかごが着床した階床よりも上階の階床に対応する階床ボタンのうち、選択された階床に対応する階床ボタンを第１表示形態とし、選択されていない階床に対応する階床ボタンを第２表示形態とした画像を階床表示部２に表示させる（ステップＳ４）。具体的には、地下１階から５階に対応する階床ボタン２ａ〜２ｆを非表示とし、６階から屋上に対応する階床ボタン２ｇ〜２ｌのうち、選択された階床に対応する階床ボタンを第１表示形態とし、選択されていない階床に対応する階床ボタンを第２表示形態とする。
【００３５】
制御部６は、すでに選択された階床がない（ステップＳ３；Ｎｏ）、つまり乗りかごが着床した階床（ここでは、５階）よりも上階の階床（ここでは、６階〜１０階、屋上）のうち、選択された階床がないと判定した場合、乗りかごが着床した階床を含み、乗りかごが着床した階床よりも下階の階床に対応する階床ボタンを含まず、選択されていない階床である乗りかごが着床した階床よりも上階の階床に対応する階床ボタンを全て第２表示形態とした画像を階床表示部２に表示させる（ステップＳ５）。具体的には、地下１階から５階に対応する階床ボタン２ａ〜２ｆを非表示とし、６階から屋上に対応する階床ボタン２ｇ〜２ｌを第２表示形態とする。
【００３６】
制御部６は、利用者が乗りかごに乗り込み（ステップＳ６）、利用階（ここでは、屋上）に対応した階床ボタン（ここでは、「Ｒ」階床ボタン２ｌ）が操作されたことを検出する。
【００３７】
制御部６は、操作を検出したら、操作された利用階（行き先階）が既に選択されているか否かを判定する（ステップＳ７）。
【００３８】
制御部６は、利用階が既に選択されていない（ステップＳ７；Ｎｏ）と判定した場合、その利用階に対応した階床ボタンが第２表示形態で表示されているため、その階床ボタンの表示を第２表示形態から第１表示形態に変更する（ステップＳ８）。利用者は、押圧した利用階の階床ボタンの表示が第２表示形態から第１表示形態に切り替わったことで、利用階が正しく選択されたことを認識できる。
【００３９】
制御部６は、利用階が既に選択されている（ステップＳ７；Ｙｅｓ）と判定した場合、すなわち、その利用階に対応した階床ボタンが第１表示形態で表示されている場合には、制御部６は、その階床ボタンの表示を第１表示形態のまま維持する（ステップＳ９）。
【００４０】
ここで、図４に示す処理では、利用階を入力する操作が行われた場合として説明したが、利用階を入力する操作が行われない場合もある。制御部６は、利用階の操作が一定時間検出されず、かつ乗りかごを移動する階の指示がない場合、行先階の入力を要求してもよい。また、制御部６は、利用階の操作が一定時間検出されず、かつ乗りかごを移動する階の指示がある場合、その階に乗りかごを移動させてもよい。
【００４１】
制御部６は、階床表示部２の表示を制御した後、乗りかごが扉閉し（ステップＳ１０）、階床表示部２に表示した階床ボタンの表示形態を切り替える（ステップＳ１１）。制御部６は、選択されている階床の階床ボタンの表示を第１表示形態から第２表示形態に切り替え、選択されていない階床の階床ボタンの表示を第２表示形態から第１表示形態に切り替えた画像を階床表示部２に表示する。選択されている階床の階床ボタンが第２表示形態で大きく表示されることで、利用者は、選択されている階床の最上階までの間に停止する階床を認識できる。制御部６は、表示形態を切り替えたら、乗りかごの移動を開始する（ステップＳ１２）。
【００４２】
制御部６は、乗りかごの移動を開始したら、移動中に未選択の階床に対する呼び登録が有るかを判定する（ステップＳ１３）。本処理は、呼び登録について説明するが、階床表示部２に入力される行き先階登録も同様である。
【００４３】
制御部６は、移動中に未選択の階床に対する呼び登録が有る（ステップＳ１３；Ｙｅｓ）と判定した場合、つまり乗りかごの移動方向（ここでは、下階から屋上への移動）における未選択の階床に対する呼び登録があった場合、当該登録階床に対応する階床ボタンの表示を第１表示形態から第２表示形態に変更する（ステップＳ１４）。
【００４４】
制御部６は、移動中に未選択の階床に対する呼び登録がない（ステップＳ１３；Ｎｏ）と判定した場合、または、呼び登録に基づいて表示形態を切り替えた場合、乗りかごが登録された階床つまり選択された階床に着床し、扉開する（ステップＳ１５）。制御部６は、階床に到着し、扉を開いたら、階床表示部２に表示した階床ボタンの表示形態を切り替える（ステップＳ１６）。すなわち、制御部６は、選択されている階床の階床ボタンの表示を第２表示形態から第１表示形態に切り替え、選択されていない階床の階床ボタンの表示を第１表示形態から第２表示形態に切り替える。
【００４５】
制御部６は、当該階床における乗りかご内の利用者が乗降したら（ステップＳ１７）、当該階床が選択された階床の最上階であるか否かを判定する（ステップＳ１８）。制御部６は、最上階ではない（ステップＳ１８；Ｎｏ）と判定した場合、ステップＳ７に戻り上記処理を再び行う。
【００４６】
制御部６は、最上階である（ステップＳ１８；Ｙｅｓ）と判定した場合、本処理を終了する。ステップＳ１において乗りかごに乗り込んだ利用者は、乗りかごがステップＳ１５において利用階（ここでは、屋上）に着床すると、ステップＳ１７において乗りかごを降りる。制御部６は、当該階床（つまり、屋上）が選択された階床のうちの最上階であると判定した場合、当該階床を含む上階の階床（ここでは、屋上のみ）以外の階床、つまり、当該階床（ここでは、屋上）よりも下階の階床に対応する階床ボタンの表示を全て第２表示形態とし、本フローを終了する。
【００４７】
以上のように、第１実施形態に係るエレベータの乗りかご表示制御方法およびエレベータの乗りかご表示制御装置は、利用者が乗りかごに乗り込んだ際に、乗りかごの移動方向の階床ボタンを含み乗りかごの移動方向とは異なる方向の階床ボタンを含まないことで、つまり、乗りかごの移動方向の階床ボタンを選択的に表示させる。これにより、利用者に乗りかごの移動方向を示唆することができる。このため、利用者が自身の利用階に向かう方向とは異なる方向に移動する乗りかごに乗り込んでしまった場合でも、自身の利用階に向かう乗りかごではないことを即座に認識して降りることができる。また、階床表示部２に表示される階床ボタンの数を減らすことができるので、階床表示部２の視認性が向上して利用者が自身の利用階に対応する階床ボタンを探す時間が短くなり、さらには、かご操作盤１の操作性も向上するので、操作時間を短縮できる。このように、エレベータの利用者にとって視認性・操作性の向上を図ることができ、利用者の利用効率を向上できる。
【００４８】
また、乗りかごが停止している状態では、選択されていない階床ボタンが選択された階床ボタンよりも大きく表示することで、乗りかごが停止した階床で乗り込んだ利用者は、自身の利用階が選択されているか否かを認識し易くなる。
【００４９】
また、乗りかごが移動している状態では、選択された階床ボタンが選択されていない階床ボタンよりも大きく表示することで、乗りかご内の利用者は、自身の利用階で乗りかごを降りるまでの間に自身が乗っている乗りかごが停止する階床を認識し易くなる。
【００５０】
このように、乗りかごの移動方向の階床ボタンのうち、呼び登録あるいはかご操作盤１で選択された階床の階床ボタンと選択されていない階床の階床ボタンとで異なる表示形態とし、乗りかごの停止中と移動中とで表示形態を切り替えることで、乗りかごの停止中、移動中における利便性を高めることができる。
【００５１】
［第２実施形態］
第２実施形態に係るエレベータの乗りかご表示制御装置の制御系統のブロック図は、第１実施形態に係るエレベータの乗りかご表示制御装置の制御系統のブロック図と同一であるので、ここでは説明を省略する。
【００５２】
第２実施形態のエレベータの乗りかご表示制御装置は、乗りかごが停止している状態において、乗りかごの移動方向の階床ボタンのうち、呼び登録あるいはかご操作盤１で選択された階床の階床ボタンを非表示とする。つまり、第２実施形態のエレベータの乗りかご表示制御装置は、乗りかごが停止している場合、選択された階床ボタンを階床表示部２に表示しない。すなわち、第１表示形態を、階床ボタンを表示しない状態とする。なお、その他の処理は、第１実施形態と同様の処理を行えばよい。
【００５３】
これにより、利用者が乗りかごに乗り込んだ際、表示された階床ボタンに対応する階床が選択されていないことを容易に認識することができる。また、利用者が自身の利用階をかご操作盤１で選択した際に、当該階床に対応する階床ボタンの表示が消えることで、利用者が確実に利用階が選択されたことを認識することができる。
【００５４】
また、エレベータの乗りかご表示制御装置は、乗りかごが停止している状態から、乗りかごが扉閉して移動を開始すると、乗りかごの移動方向の階床ボタンの表示形態を切り替える。すなわち、エレベータの乗りかご表示制御装置は、第１表示形態を階床ボタンを表示しない状態とし、乗りかごが移動している状態では、乗りかごの移動方向の階床ボタンのうち、呼び登録あるいはかご操作盤１で選択された階床の階床ボタンを表示させ、選択されていない階床の階床ボタンを非表示とするようにしてもよい。このようにすれば、表示されていない階床ボタンに対応する階床には停止しないことを利用者が確実に認識することができる。つまり、停止予定の階床をより明示的に利用者に示唆することができる。
【００５５】
［第３実施形態］
第３実施形態に係るエレベータの乗りかご表示制御装置の制御系統のブロック図は、第１および第２実施形態に係るエレベータの乗りかご表示制御装置の制御系統のブロック図と同一であるので、ここでは説明を省略する。
【００５６】
第３実施形態のエレベータの乗りかご表示制御装置は、乗りかごが停止している状態において、乗りかごの移動方向とは異なる方向の階床ボタン、および、乗りかごの移動方向の階床ボタンのうち、呼び登録あるいはかご操作盤１で選択された階床の階床ボタンと、呼び登録あるいはかご操作盤１で選択されていない階床の階床ボタンとで異なる表示形態とする。
【００５７】
具体的には、エレベータの乗りかご表示制御装置は、乗りかごが停止している状態において、乗りかごの移動方向とは異なる方向の階床ボタン、および、乗りかごの移動方向の階床ボタンのうち、呼び登録あるいはかご操作盤１で選択された階床の階床ボタンを、選択されていない階床の階床ボタンよりも明度が低い表示とし、選択されていない階床の階床ボタンを、乗りかごの移動方向とは異なる方向の階床ボタンおよび選択された階床の階床ボタンよりも明度が高い表示とする画像を階床表示部２に表示させる。例えば、明度を高くした階床ボタンは、ライトが点灯したような画像で表示する。明度を低くした階床ボタンは、ライトが消灯したような画像で表示する。
【００５８】
これにより、乗りかごが停止している状態では、選択されていない階床ボタンが乗りかごの移動方向とは異なる方向の階床ボタンおよび選択された階床ボタンよりも明るく表示されるので、利用者が乗りかごに乗り込んだ際、乗りかごの移動方向、および、移動方向において選択されていない階床を容易に認識することができる。
【００５９】
また、乗りかごが停止している状態から、乗りかごが扉閉して移動を開始すると、選択された階床の階床ボタンの表示形態と選択されていない階床の階床ボタンの表示形態とを切り替えるようにしてもよい。すなわち、乗りかごが移動している状態では、呼び登録あるいはかご操作盤１で選択された階床の階床ボタンを明るく表示し、選択されていない階床の階床ボタンを選択された階床の階床ボタンよりも暗く表示する。
【００６０】
このようにすれば、乗りかごが移動している状態では、選択された階床ボタンが選択されていない階床ボタンよりも明るく表示されるので、乗りかご内の利用者は、自身の利用階で乗りかごを降りるまでの間に自身が乗っている乗りかごが停止する階床を認識し易くなる。
【００６１】
なお、上記説明では、乗りかごの移動方向とは異なる方向の階床ボタンについても第１表示形態で表示する例について説明したが、乗りかごの移動方向とは異なる方向の階床ボタンを非表示としてもよい。つまり、第１表示形態で表示された階床ボタンは、第２表示形態で表示された階床ボタンよりも明度が低い表示としてもよい。これにより、階床表示部２に表示される階床ボタンの数を減らすことができ、第１実施形態と同様の視認性・操作性を得ることができる。
【００６２】
［第４実施形態］
図５は、第４実施形態に係るエレベータの乗りかご表示制御装置の制御系統のブロック図である。図５に示す第４実施形態に係るエレベータの表示制御装置１００ａの制御部６ａは、第１実施形態において説明した構成に加え、乗りかご内に設置されたカメラ１０との間で双方向に信号を送受信できるように接続される。
【００６３】
本実施形態では、制御部６ａは、カメラ１０から受信した映像情報から、乗りかご内の利用者の体格（例えば身長等）を判別し、階床表示部２に表示する階床ボタンを利用者の体格に応じた位置に表示する。
【００６４】
図６は、第４実施形態に係る階床表示部における各階床ボタンの表示例を示す図である。図６に示す例では、階床表示部２の設置位置に対し、乗りかごの移動方向の階床ボタン（ここでは、６階、７階、８階、９階、１０階、屋上に対応した「６」、「７」、「８」、「９」、「１０」、「Ｒ」の各階床ボタン２ｇ，２ｈ，２ｉ，２ｊ，２ｋ，２ｌ）を階床表示部２の表示エリアの下側に略密集して表示した例を示している。
【００６５】
このようにすれば、例えば、身長が低い子供や体格が小さい年配者が階床表示部２の表示内容を視認し易くなり、また、利用階の階床ボタンを操作し易くなる。
【００６６】
以上のように、第４実施形態に係るエレベータの乗りかご表示制御装置は、階床表示部２に表示する階床ボタンを利用者の体格に応じた位置に表示するため、利用者毎に最適な視認性・操作性をもたらすことができる。
【００６７】
［第５実施形態］
図７は、第５実施形態に係るエレベータの乗りかご表示制御装置の制御系統のブロック図である。図７に示す第５実施形態に係るエレベータの表示制御装置１００ｂの制御部６ｂは、第１実施形態において説明した構成に加え、端末装置１１との間で双方向に信号を送受信できるように接続される。
【００６８】
端末装置１１は、階床表示部２に表示される階床ボタンの形状や大きさ、表示位置等を設定する機能を有している。この端末装置１１は、例えば、一般に市販されるデスクトップ型またはノート型のパーソナルコンピュータ等の情報処理装置、携帯電話、スマートフォン、ＰＨＳ、およびＰＤＡ等の携帯端末装置等である。
【００６９】
本実施形態では、制御部６ｂは、端末装置１１から受信した設定情報に基づき、階床表示部２に表示する階床ボタンの形状や大きさ、表示位置等を変更する。
【００７０】
図８Ａ及び図８Ｂは、それぞれ第５実施形態に係る階床表示部における各階床ボタンの表示例を示す図である。図８Ａ及び図８Ｂに示す例では、乗りかごの移動方向の階床ボタン（ここでは、６階、７階、８階、９階、１０階、屋上に対応した「６」、「７」、「８」、「９」、「１０」、「Ｒ」の各階床ボタン２ｇ，２ｈ，２ｉ，２ｊ，２ｋ，２ｌ）を、第１実施形態において説明した図３Ａとは異なる意匠で表示した例を示している。
【００７１】
このように、エレベータの運行管理者が端末装置１１を用いて階床表示部２の表示画面の意匠を変更できるようにすることで、装置構成の変更や機器の交換を実施することなく、階床表示部２に表示する階床ボタンの形状や大きさ、表示位置等を変更することができる。
【００７２】
以上のように、第５実施形態に係るエレベータの乗りかご表示制御装置は、端末装置１１から受信した設定情報に基づき、階床表示部２に表示する階床ボタンの形状や大きさ、表示位置等を変更することができるので、装置構成の変更や機器の交換を実施することなく、利用者の多種多様なニーズに応じて迅速に階床表示部２の表示画面の意匠を変更することができる。
【００７３】
［第６実施形態］
第６実施形態に係るエレベータの乗りかご表示制御装置の制御系統のブロック図は、第１から第５実施形態において説明した構成と同様の構成であるので、ここでは、第１実施形態において説明した図１の構成を用いて説明する。
【００７４】
本実施形態では、乗りかごの移動中において、制御部６は、次の着床予定階以外の階床に対応する階床ボタンを非表示とし、これにより生じた階床表示部２の空きスペースに、次の着床予定階に関連する情報、例えば、その階床に入っているテナントの情報や、その階床で開催されるイベント等の情報を表示する。
【００７５】
図９は、第６実施形態に係る階床表示部における表示例を示す図である。図９に示す例では、次の着床予定階の階床ボタン（ここでは、６階に対応した「６」階床ボタン２ｇ）を階床表示部２の上部に表示し、その階床ボタンの下部の空きスペースに次の着床予定階のフロア情報２ｍを表示した例を示している。これにより、利用者は、次の着床予定階の情報を得ることができ、利便性を向上することができる。
【００７６】
以上のように、第６実施形態に係るエレベータの乗りかご表示制御装置は、乗りかごの移動中において、次の着床予定階以外の階床に対応する階床ボタンを非表示とすることでできた空きスペースに次の着床予定階に関する情報を表示する。これにより、利用者に次の着床予定階の情報を報知することができ、利用者の利便性が向上する。
【００７７】
なお、上述した第１実施形態および第３実施形態では、乗りかごの停止中と移動中とで、選択された階床ボタンの表示形態と選択されていない階床ボタンの表示形態とを切り替える例を説明したが、第２実施形態と同様に、乗りかごの移動中には選択されていない階床ボタンを非表示としてもよいことは言うまでもない。このようにすれば、停止予定の階床をより明示的に利用者に示唆することができる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１  かご操作盤（操作部）、２  階床表示部、２ａ〜２ｌ  階床ボタン、２ｍ  フロア情報、３  開閉ボタン、３ａ  開ボタン、３ｂ  閉ボタン、４  非常用ボタン、５  インターフォン、６，６ａ，６ｂ  制御部、７  呼び登録ボタン、８  モータ（駆動部）、９  監視センタ、１０  カメラ、１１  端末装置、１００，１００ａ，１００ｂ  エレベータの表示制御装置
【図１】
0005844423.tif 000002
【図２】
0005844423.tif 000003
【図３Ａ】
0005844423.tif 000004
【図３Ｂ】
0005844423.tif 000005
【図３Ｃ】
0005844423.tif 000006
【図４】
0005844423.tif 000007
【図５】
0005844423.tif 000008
【図６】
0005844423.tif 000009
【図７】
0005844423.tif 000010
【図８Ａ】
0005844423.tif 000011
【図８Ｂ】
0005844423.tif 000012
【図９】
0005844423.tif 000013